(57)【要約】      （修正有）【課題】通信機器とその所有者との間のペアリング設定を簡易な手順で行うことを可能にする技術を提供する。【解決手段】第１の通信機器は、機器ＩＤ及び所有者識別子と供に機器ＩＤ発行要求を機器管理装置へ送信し、第１の確認コードを機器管理装置から受信し、表示する。機器管理装置は、機器ＩＤ発行要求を受信すると、第１の確認コードと、機器管理装置にアクセスするための情報を含む仮登録情報とを生成し、第１の確認コードを第１の通信機器へ送信し、仮登録情報を第２の通信機器へ送信する。第２の通信機器は、仮登録情報を受信すると、所有者から第２の確認コードを取得し、仮登録情報に従ってアクセスすることにより、第２の確認コードを機器管理装置へ送信する。機器管理装置は、受信した第２の確認コードが第１の確認コードと一致する場合、仮登録情報に対応する機器ＩＤ及び所有者識別子の組み合わせの登録完了情報を記録する。【選択図】図６
2015114724.tif 000002
【特許請求の範囲】
【請求項１】
第１の通信機器と、第２の通信機器と、機器管理装置とを含む機器管理システムであって、
前記第１の通信機器は、
前記第１の通信機器の機器ＩＤ、及び、前記第１の通信機器の所有者に対応する所有者識別子を前記機器管理装置へ送信する送信手段と、
前記機器ＩＤに関連付けられた第１の確認コードを前記機器管理装置から受信する受信手段と、
前記第１の確認コードを表示する表示手段と、
を備え、
前記機器管理装置は、
前記機器ＩＤ及び前記所有者識別子を前記第１の通信機器から受信する受信手段と、
前記第１の確認コードと、前記機器管理装置にアクセスするための情報を含み前記機器ＩＤに固有である仮登録情報と、を生成する生成手段と、
前記機器ＩＤ、前記所有者識別子、前記第１の確認コード、及び前記仮登録情報を関連付けて記録する記録手段と、
前記第１の確認コードを前記第１の通信機器へ送信し、前記仮登録情報を前記第２の通信機器へ送信する送信手段と、
を備え、
前記第２の通信機器は、
前記仮登録情報を前記機器管理装置から受信する受信手段と、
入力インターフェイスを介して入力された第２の確認コードを取得する取得手段と、
前記仮登録情報に従って前記機器管理装置にアクセスすることにより、前記第２の確認コードを前記機器管理装置へ送信する送信手段と、
を備え、
前記機器管理装置の前記受信手段は、前記第２の確認コードを前記第２の通信機器から受信し、
前記機器管理装置は、前記第２の確認コードが、前記第２の通信機器の前記送信手段が前記第２の確認コードを送信するために使用した前記仮登録情報に対応する前記第１の確認コードと一致するか否かを判定する判定手段を更に備え、
前記第２の確認コードが前記第１の確認コードと一致すると判定された場合、前記機器管理装置の前記記録手段は、前記仮登録情報に対応する前記機器ＩＤ及び前記所有者識別子の組み合わせの登録が完了したことを示す登録完了情報を記録する
ことを特徴とする機器管理システム。
【請求項２】
通信機器であって、
前記通信機器の機器ＩＤ、及び、前記通信機器の所有者に対応する所有者識別子を機器管理装置へ送信する送信手段と、
前記機器ＩＤに関連付けられた第１の確認コードを前記機器管理装置から受信する受信手段と、
前記第１の確認コードを表示する表示手段と、
を備えることを特徴とする通信機器。
【請求項３】
前記送信手段は、前記受信手段が前記第１の確認コードを受信した後で、前記所有者識別子を前記機器管理装置へ送信する
ことを特徴とする請求項２に記載の通信機器。
【請求項４】
前記所有者が前記所有者識別子を入力するための操作手段を更に備える
ことを特徴とする請求項２又は３に記載の通信機器。
【請求項５】
前記送信手段は、機器ＩＤ発行要求を前記機器管理装置へ送信し、
前記受信手段は、前記機器ＩＤ発行要求に対する応答として、前記機器ＩＤを前記機器管理装置から受信する
ことを特徴とする請求項２乃至４のいずれか１項に記載の通信機器。
【請求項６】
前記送信手段は、前記機器ＩＤを含んだ確認コード発行要求を前記機器管理装置へ送信し、
前記受信手段は、前記確認コード発行要求に対する応答として、前記機器ＩＤに関連付けられた前記第１の確認コードを前記機器管理装置から受信する
ことを特徴とする請求項５に記載の通信機器。
【請求項７】
前記送信手段は、前記機器ＩＤを含んだ登録状態確認要求を前記機器管理装置へ送信し、
前記受信手段は、前記登録状態確認要求に対する応答として、前記機器ＩＤ及び前記所有者識別子の組み合わせの登録状態を示す情報を前記機器管理装置から受信する
ことを特徴とする請求項２乃至６のいずれか１項に記載の通信機器。
【請求項８】
機器管理装置であって、
第１の通信機器の機器ＩＤ、及び、前記第１の通信機器の所有者に対応する所有者識別子を前記第１の通信機器から受信する受信手段と、
第１の確認コードと、前記機器管理装置にアクセスするための情報を含み前記機器ＩＤに固有である仮登録情報と、を生成する生成手段と、
前記機器ＩＤ、前記所有者識別子、前記第１の確認コード、及び前記仮登録情報を関連付けて記録する記録手段と、
前記第１の確認コードを前記第１の通信機器へ送信し、前記仮登録情報を第２の通信機器へ送信する送信手段と、
を備え、
前記受信手段は、前記仮登録情報に従って送信された第２の確認コードを前記第２の通信機器から受信し、
前記機器管理装置は、前記第２の確認コードが、前記第２の通信機器が前記第２の確認コードを送信するために使用した前記仮登録情報に対応する前記第１の確認コードと一致するか否かを判定する判定手段を更に備え、
前記第２の確認コードが前記第１の確認コードと一致すると判定された場合、前記記録手段は、前記仮登録情報に対応する前記機器ＩＤ及び前記所有者識別子の組み合わせの登録が完了したことを示す登録完了情報を記録する
ことを特徴とする機器管理装置。
【請求項９】
前記受信手段は、前記送信手段が前記第１の確認コードを送信した後で、前記所有者識別子を前記第１の通信機器から受信する
ことを特徴とする請求項８に記載の機器管理装置。
【請求項１０】
前記受信手段は、前記第２の通信機器に入力された追加情報を前記第２の通信機器から受信し、
前記第２の確認コードが前記第１の確認コードと一致すると前記判定手段により判定された場合、前記記録手段は、前記追加情報を前記所有者識別子に関連付けて記録する
ことを特徴とする請求項８又は９に記載の機器管理装置。
【請求項１１】
前記送信手段は、前記第２の確認コードが前記第１の確認コードと一致すると判定された場合に、前記第２の通信機器において前記追加情報を入力するための画面情報を前記第２の通信機器へ送信し、
前記受信手段は、前記画面情報を通じて前記第２の通信機器に入力された追加情報を前記第２の通信機器から受信する
ことを特徴とする請求項１０に記載の機器管理装置。
【請求項１２】
前記受信手段は、機器ＩＤ発行要求を前記第１の通信機器から受信し、
前記生成手段は、前記機器ＩＤ発行要求に応えて前記機器ＩＤを生成する
ことを特徴とする請求項８乃至１１のいずれか１項に記載の機器管理装置。
【請求項１３】
前記受信手段は、確認コード発行要求を前記第１の通信機器から受信し、
前記生成手段は、前記確認コード発行要求に応えて前記第１の確認コードを生成する
ことを特徴とする請求項８乃至１２のいずれか１項に記載の機器管理装置。
【請求項１４】
前記生成手段は、前記仮登録情報を生成した日時に基づいて有効期限を生成し、
前記記録手段は、前記有効期限を前記仮登録情報に関連付けて記録し、
前記記録手段は、前記第２の確認コードが前記第１の確認コードと一致すると前記判定手段により判定され、且つ、前記受信手段が前記第２の確認コードを受信した日時が前記有効期限よりも前である場合に、前記登録完了情報を記録する
ことを特徴とする請求項８乃至１３のいずれか１項に記載の機器管理装置。
【請求項１５】
前記受信手段は、前記機器ＩＤを含んだ登録状態確認要求を前記第１の通信機器から受信し、
前記送信手段は、前記登録完了情報に基づき、前記機器ＩＤ及び前記所有者識別子の組み合わせの登録状態を示す情報を前記第１の通信機器へ送信する
ことを特徴とする請求項８乃至１４のいずれか１項に記載の機器管理装置。
【請求項１６】
通信機器であって、
機器管理装置にアクセスするための情報を含み他の通信機器の機器ＩＤに固有である仮登録情報を前記機器管理装置から受信する受信手段と、
入力インターフェイスを介して入力された第２の確認コードを取得する取得手段と、
前記仮登録情報に従って前記機器管理装置にアクセスすることにより、前記第２の確認コードを前記機器管理装置へ送信する送信手段と、
を備えることを特徴とする通信機器。
【請求項１７】
前記取得手段は、前記入力インターフェイスを介して入力された追加情報を取得し、
前記送信手段は、前記追加情報を前記機器管理装置へ送信する
ことを特徴とする請求項１６に記載の通信機器。
【請求項１８】
前記受信手段は、前記送信手段が前記第２の確認コードを送信した後に、前記入力インターフェイスを介して前記追加情報を入力するための画面情報を前記機器管理装置から受信する
ことを特徴とする請求項１７に記載の通信機器。
【請求項１９】
請求項２乃至７のいずれか１項に記載の通信機器を第１の通信機器として含み、
請求項８乃至１５のいずれか１項に記載の機器管理装置を含み、
請求項１６乃至１８のいずれか１項に記載の通信機器を第２の通信機器として含む
ことを特徴とする機器管理システム。
【請求項２０】
通信機器の制御方法であって、
前記通信機器の送信手段が、前記通信機器の機器ＩＤ、及び、前記通信機器の所有者に対応する所有者識別子を機器管理装置へ送信する送信工程と、
前記通信機器の受信手段が、前記機器ＩＤに関連付けられた第１の確認コードを前記機器管理装置から受信する受信工程と、
前記通信機器の表示手段が、前記第１の確認コードを表示する表示工程と、
を備えることを特徴とする制御方法。
【請求項２１】
機器管理装置の制御方法であって、
前記機器管理装置の受信手段が、第１の通信機器の機器ＩＤ、及び、前記第１の通信機器の所有者に対応する所有者識別子を前記第１の通信機器から受信する受信工程と、
前記機器管理装置の生成手段が、第１の確認コードと、前記機器管理装置にアクセスするための情報を含み前記機器ＩＤに固有である仮登録情報と、を生成する生成工程と、
前記機器管理装置の記録手段が、前記機器ＩＤ、前記所有者識別子、前記第１の確認コード、及び前記仮登録情報を関連付けて記録する記録工程と、
前記機器管理装置の送信手段が、前記第１の確認コードを前記第１の通信機器へ送信し、前記仮登録情報を第２の通信機器へ送信する送信工程と、
を備え、
前記受信工程では、前記仮登録情報に従って送信された第２の確認コードを前記第２の通信機器から受信し、
前記制御方法は、前記第２の確認コードが、前記第２の通信機器が前記第２の確認コードを送信するために使用した前記仮登録情報に対応する前記第１の確認コードと一致するか否かを判定する判定工程を更に備え、
前記第２の確認コードが前記第１の確認コードと一致すると判定された場合、前記記録工程では、前記仮登録情報に対応する前記機器ＩＤ及び前記所有者識別子の組み合わせの登録が完了したことを示す登録完了情報を記録する
ことを特徴とする制御方法。
【請求項２２】
通信機器の制御方法であって、
前記通信機器の受信手段が、機器管理装置にアクセスするための情報を含み他の通信機器の機器ＩＤに固有である仮登録情報を前記機器管理装置から受信する受信工程と、
前記通信機器の取得手段が、入力インターフェイスを介して入力された第２の確認コードを取得する取得工程と、
前記通信機器の送信手段が、前記仮登録情報に従って前記機器管理装置にアクセスすることにより、前記第２の確認コードを前記機器管理装置へ送信する送信工程と、
を備えることを特徴とする制御方法。
【請求項２３】
コンピュータを、請求項２乃至７のいずれか１項に記載の通信機器の各手段として機能させるためのプログラム。
【請求項２４】
コンピュータを、請求項８乃至１５のいずれか１項に記載の機器管理装置の各手段として機能させるためのプログラム。
【請求項２５】
コンピュータを、請求項１６乃至１８のいずれか１項に記載の通信機器の各手段として機能させるためのプログラム。
【発明の詳細な説明】
【技術分野】
【０００１】
本発明は、機器管理システム、通信機器、機器管理装置、制御方法、及びプログラムに関する。
【背景技術】
【０００２】
従来、通信機器同士をペアリングすることが行われている。例えば、発信機器と応答機器を連携制御装置を介してペアリングする場合について説明する。まず、発信機器は連携制御装置から発信符号を取得して表示する。ここで、連携制御装置は発信符号を発信機器の識別子と関連付けて記憶する。次に発信機器に表示された発信符号を見たユーザの操作にしたがって、応答機器がその発信符号を入力して連携制御装置へ送信する。連携制御装置は発信符号を受信すると、返信符号を生成して応答機器へ送信する。ここで、応答機器は返信符号を発信機器の識別子と関連付けて記憶する。そして、応答機器は返信符号を連携制御装置から受信して表示する。一方、発信機器は自身の識別子に関連付けられた返信符号のリストを連携制御装置から受信して表示する。ユーザが発信機器に表示された返信符号のリストと応答機器に表示された返信符号を照合し、一致する返信符号があれば、発信機器はそれを選択して連携制御装置へ通知する。そして、連携制御装置は発信機器と応答機器とのペアリングを認証済みとして保存する（特許文献１参照）。
【先行技術文献】
【特許文献】
【０００３】
【特許文献１】特開２０１２−２０９９３６号公報
【発明の概要】
【発明が解決しようとする課題】
【０００４】
しかしながら、特許文献１は、通信機器同士のペアリングを扱うものであり、通信機器とその所有者との間のペアリングを扱うものではない。
【０００５】
本発明はこのような状況に鑑みてなされたものであり、通信機器とその所有者との間のペアリング設定を簡易な手順で行うことを可能にする技術を提供することを目的とする。
【課題を解決するための手段】
【０００６】
上記課題を解決するために、本発明は、第１の通信機器と、第２の通信機器と、機器管理装置とを含む機器管理システムであって、前記第１の通信機器は、前記第１の通信機器の機器ＩＤ、及び、前記第１の通信機器の所有者に対応する所有者識別子を前記機器管理装置へ送信する送信手段と、前記機器ＩＤに関連付けられた第１の確認コードを前記機器管理装置から受信する受信手段と、前記第１の確認コードを表示する表示手段と、を備え、前記機器管理装置は、前記機器ＩＤ及び前記所有者識別子を前記第１の通信機器から受信する受信手段と、前記第１の確認コードと、前記機器管理装置にアクセスするための情報を含み前記機器ＩＤに固有である仮登録情報と、を生成する生成手段と、前記機器ＩＤ、前記所有者識別子、前記第１の確認コード、及び前記仮登録情報を関連付けて記録する記録手段と、前記第１の確認コードを前記第１の通信機器へ送信し、前記仮登録情報を前記第２の通信機器へ送信する送信手段と、を備え、前記第２の通信機器は、前記仮登録情報を前記機器管理装置から受信する受信手段と、入力インターフェイスを介して入力された第２の確認コードを取得する取得手段と、前記仮登録情報に従って前記機器管理装置にアクセスすることにより、前記第２の確認コードを前記機器管理装置へ送信する送信手段と、を備え、前記機器管理装置の前記受信手段は、前記第２の確認コードを前記第２の通信機器から受信し、前記機器管理装置は、前記第２の確認コードが、前記第２の通信機器の前記送信手段が前記第２の確認コードを送信するために使用した前記仮登録情報に対応する前記第１の確認コードと一致するか否かを判定する判定手段を更に備え、前記第２の確認コードが前記第１の確認コードと一致すると判定された場合、前記機器管理装置の前記記録手段は、前記仮登録情報に対応する前記機器ＩＤ及び前記所有者識別子の組み合わせの登録が完了したことを示す登録完了情報を記録することを特徴とする機器管理システムを提供する。
【０００７】
なお、その他の本発明の特徴は、添付図面及び以下の発明を実施するための形態における記載によって更に明らかになるものである。
【発明の効果】
【０００８】
本発明によれば、通信機器とその所有者との間のペアリング設定を簡易な手順で行うことが可能となる。
【図面の簡単な説明】
【０００９】
【図１】本発明の実施形態に係る機器管理システムの構成の一例を示すブロック図。
【図２】本発明の実施形態に係る第２の通信機器及び機器管理装置を実現する情報処理装置の構成の一例を示すブロック図。
【図３】本発明の実施形態に係る第１の通信機器のデジタルカメラを構成する撮像装置の一例を示す図。
【図４】（Ａ）本発明の実施形態に係る機器管理装置が記憶するペアリング管理テーブルを示す図、（Ｂ）本発明の実施形態に係る機器管理装置が記憶するユーザ管理テーブルを示す図。
【図５】第１の通信機器におけるペアリング設定処理及びユーザ登録処理の流れを示すフローチャート。
【図６】機器管理装置におけるペアリング設定処理及びユーザ登録処理の流れを示すフローチャート。
【図７】第２の通信機器におけるペアリング設定処理及びユーザ登録処理の流れを示すフローチャート。
【図８】第１の通信機器の表示部に表示される画面を示す図。
【図９】第２の通信機器の表示部に表示される画面を示す図。
【図１０】本発明の実施形態に係る第２の通信機器及び機器管理装置におけるサービス設定処理の一例を示すフローチャート。
【図１１】本発明の実施形態に係る第１の通信機器及び機器管理装置におけるサービス設定処理の一例を示すフローチャート。
【発明を実施するための形態】
【００１０】
以下、添付図面を参照して、本発明の実施形態を説明する。なお、本発明の技術的範囲は、特許請求の範囲によって確定されるのであって、以下の個別の実施形態によって限定されるわけではない。また、実施形態の中で説明されている特徴の組み合わせすべてが、本発明に必須とは限らない。
【００１１】
［第１の実施形態］
本実施形態における機器管理システムの構成の一例を図１のブロック図を参照して説明する。第１の通信機器１０１及び第２の通信機器１０２は、ネットワーク１０４を介して機器管理装置１０３と通信可能である。本実施形態では、第１の通信機器１０１をサービスの利用者としての所有者とペアリングさせるために、第１の通信機器１０１、及びユーザが操作する第２の通信機器が、それぞれ機器管理装置１０３と通信する。
【００１２】
第１の通信機器１０１や第２の通信機器１０２はＨＴＴＰ等のプロトコルを用いて機器管理装置１０３との通信を確立し、ＨＴＭＬやＸＭＬ等の言語で記述されたページ情報を取得する。第１の通信機器１０１や第２の通信機器１０２はページ情報を解析し、その結果に基づき、各種データを表示する。
【００１３】
第１の通信機器１０１及び第２の通信機器１０２は、通信機能を備えた機器であれば何でもよく、例えばデジタルカメラやスマートフォン、タブレット、パーソナルコンピュータ、通信機能を備えたストレージ装置などで実現される。機器管理装置１０３は例えば、サーバコンピュータにより実現され、単一のサーバコンピュータで実現してもよいし、必要に応じて複数のサーバコンピュータに各機能を分散して実現するようにしてもよい。
【００１４】
以下、本実施形態では、第１の通信機器１０１がデジタルカメラ、第２の通信機器１０２がスマートフォンの場合を例に挙げて説明するが、それぞれ他の機器の場合も本実施形態を同様に実現できる。
【００１５】
機器管理装置１０３のサーバコンピュータ又は第２の通信機器１０２のスマートフォンを実現する情報処理装置の構成について、図２のブロック図を参照して説明する。
【００１６】
機器管理装置１０３や第２の通信機器１０２はそれぞれ単一の情報処理装置で実現してもよいし、必要に応じて複数の情報処理装置に各機能を分散して実現するようにしてもよい。複数の情報処理装置で構成される場合は、互いに通信可能なようにＬｏｃａｌ  Ａｒｅａ  Ｎｅｔｗｏｒｋ（ＬＡＮ）などで接続されている。
【００１７】
図２において、制御部２０１及び２３１は機器管理装置１０３全体及び第２の通信機器１０２全体をそれぞれ制御し、例えばＣｅｎｔｒａｌ  Ｐｒｏｃｅｓｓｉｎｇ  Ｕｎｉｔ（ＣＰＵ）である。Ｒｅａｄ  Ｏｎｌｙ  Ｍｅｍｏｒｙ（ＲＯＭ）２０２及び２３２は変更を必要としないプログラムやパラメータを格納する。Ｒａｎｄｏｍ  Ａｃｃｅｓｓ  Ｍｅｍｏｒｙ（ＲＡＭ）２０３及び２３３は外部装置などから供給されるプログラムやデータを一時記憶する。記憶装置２０４及び２３４は例えば、機器管理装置１０３及び第２の通信機器１０２それぞれに固定して設置されたハードディスクドライブ（ＨＤＤ）である。あるいは、フラッシュメモリで構成されるソリッドステートドライブ（ＳＳＤ）、ハードディスクとフラッシュメモリを併用したハイブリッドドライブやメモリカードなどである。記憶装置２０４及び２３４はＯｐｅｒａｔｉｎｇ  Ｓｙｓｔｅｍ（ＯＳ）などのプログラムを記憶する。入力インターフェイス（Ｉ／Ｆ）２０５及び２３５はユーザの操作を受け、データを入力するポインティングデバイスやキーボード、タッチパネルなどの入力装置と接続する。Ｂｉｔ  Ｍｏｖｅ  Ｕｎｉｔ（ＢＭＵ）２０６及び２３６は、例えばメモリ間（例えば、ＶＲＡＭ２０７及び２３７と他のメモリとの間）や、メモリと各Ｉ／Ｏデバイス（例えば、ネットワークインターフェイス２０９及び２３９）間のデータ転送を制御する。Ｖｉｄｅｏ  ＲＡＭ（ＶＲＡＭ）２０７及び２３７は、表示装置２１１及び２４１それぞれに表示する為の画像を描画する。このＶＲＡＭ２０７及び２３７に生成した画像を、所定の規定に従って表示装置２１１及び２４１に送信し、これにより表示装置２１１及び２４１は画像を表示する。ネットワークインターフェイス２０９及び２３９はネットワーク１０４に接続する。システムバス２１２及び２４２は２０１〜２０９及び２３１〜２３９の各ユニットを通信可能に接続する。
【００１８】
第１の通信機器１０１のデジタルカメラを実現する撮像装置の構成について図３のブロック図を参照して説明する。なお、第１の通信機器１０１は単一の撮像装置で実現してもよいし、必要に応じて外部の機器と接続し、各機能を分散して実現するようにしてもよい。
【００１９】
３０１はフォーカスレンズを含む撮影レンズである。３０２は絞り機能を備えるシャッターである。３０３は光学像を電気信号に変換するＣＣＤやＣＭＯＳ素子などで構成される撮像部である。３０４はＡ／Ｄ変換器であり、Ａ／Ｄ変換器３０４は撮像部３０３から出力されるアナログ信号をデジタル信号に変換する。３０５はバリアであり、バリア３０５は撮影レンズ３０１などを覆うことにより、撮影レンズ３０１、シャッター３０２、撮像部３０３を含む撮像系の汚れや破損を防止する。３０６は画像処理部であり、画像処理部３０６はＡ／Ｄ変換器３０４からの画像データ又はメモリ制御部３０７からの画像データに対し所定の画素補間、縮小といったリサイズ処理や色変換処理を行う。また、画像処理部３０６は撮像された画像データを用いて所定の演算処理を行い、システム制御部３０８が演算結果に基づいて露光制御、測距制御を行う。Ａ／Ｄ変換器３０４から出力される画像データは、画像処理部３０６及びメモリ制御部３０７を介して、又はメモリ制御部３０７のみを介してメモリ３０９に書き込まれる。メモリ３０９は撮像部３０３によって得られＡ／Ｄ変換器３０４によりデジタルデータに変換された画像データや、表示部３１０に表示するための画像データを格納する。メモリ３０９は所定枚数の静止画像や所定時間の動画像及び音声を格納するのに十分な記憶容量を備えている。また、メモリ３０９は画像表示用のメモリ（ビデオメモリ）を兼ねている。３１１はＤ／Ａ変換器であり、Ｄ／Ａ変換器３１１はメモリ３０９に格納されている画像表示用の画像データをアナログ信号に変換して表示部３１０に供給する。こうして、メモリ３０９に書き込まれた表示用の画像データはＤ／Ａ変換器３１１を介して表示部３１０により表示される。表示部３１０はＬＣＤ等の表示器上に、Ｄ／Ａ変換器３１１からのアナログ信号に応じた表示を行う。３１２は不揮発性メモリであり、不揮発性メモリ３１２は電気的に消去・記録可能なメモリであり、例えばＥＥＰＲＯＭなどが用いられる。
【００２０】
不揮発性メモリ３１２には、システム制御部３０８の動作用の定数、後述するペアリングを行うプログラム等の制御プログラムなどが記憶される。３０８はシステム制御部であり、システム制御部３０８は第１の通信機器１０１全体を制御する。システム制御部３０８は不揮発性メモリ３１２に記憶されたプログラムを実行することで、第１の通信機器１０１の処理を実現する。３１３はシステムメモリであり、例えばＲＡＭが用いられ、システムメモリ３１３にはシステム制御部３０８の動作用の定数、変数、不揮発性メモリ３１２から読み出したプログラムなどを展開する。
【００２１】
３１４はモード切替スイッチである。３１５は第１シャッタースイッチである。
【００２２】
３１６は第２シャッタースイッチである。３１７は操作部である。モード切替スイッチ３１４、第１シャッタースイッチ３１５、第２シャッタースイッチ３１６、操作部３１７はシステム制御部３０８に各種の動作指示を入力するための操作手段である。モード切替スイッチ３１４はシステム制御部３０８の動作モードを静止画記録モード、動画記録モード、再生モードなどの何れかに切り替える。第１シャッタースイッチ３１５は第１の通信機器１０１に設けられたシャッターボタンの操作途中、いわゆる半押し（撮影準備指示）でオンとなり第１シャッタースイッチ信号ＳＷ１を発生する。第２シャッタースイッチ３１６はシャッターボタンの操作完了、いわゆる全押し（撮影指示）でオンとなり、第２シャッタースイッチ信号ＳＷ２を発生する。システム制御部３０８は第２シャッタースイッチ信号ＳＷ２により撮像部３０３からの信号読み出しから記録媒体３２５に画像データを書き込むまでの一連の撮影処理の動作を開始する。操作部３１７の各操作部材は表示部３１０に表示される種々の機能アイコンが選択操作されることなどにより、場面毎に適宜機能が割り当てられ各種機能ボタンとして作用する。機能ボタンとしては、例えば確認ボタン、終了ボタン、戻るボタン、画像送りボタン、ジャンプボタン、絞込みボタン、属性変更ボタンなどがある。例えばメニューボタンが押されると各種の設定可能なメニュー画面が表示部３１０に表示される。ユーザは表示部３１０に表示されたメニュー画面と、４方向ボタンやＳＥＴボタンとを用いて直感的に各種設定を行うことができる。３１８はコントローラホイールであり、操作部３１７に含まれる回転操作可能な操作部材であり、方向ボタンと共に選択項目を指示するときなどに用いられる。システム制御部３０８はパルス信号に基づいて第１の通信機器１０１の各構成部を制御する。また、システム制御部３０８はパルス信号によってコントローラホイール３１８が回転操作された角度や、何回転したかなどを判定することができる。なお、コントローラホイール３１８は回転操作が検出できる操作部材であればどのようなものでもよい。３１９はコントローラリングであり、操作部３１７に含まれる回転操作部材であり、レンズ鏡筒周りで光軸を中心として回転する操作が可能である。例えばコントローラリング３１９を操作することで回転量（操作量）に応じた電気的なパルス信号が発生する。システム制御部３０８はパルス信号に基づいて第１の通信機器１０１の各構成部を制御する。また、操作部３１７に含まれるコントローラリング３１９の機能切替ボタンが押されると、コントローラリング３１９に割り当てる機能を変更可能なメニュー画面が表示部３１０に表示される。コントローラリング３１９及びコントローラホイール３１８は通常モード項目の選択や値の変更に用いられる。
【００２３】
３２０は電源スイッチであり、電源スイッチ３２０は電源オン、電源オフが切り替えられる。３２１は電源制御部であり、電源制御部３２１は電池検出回路、ＤＣ−ＤＣコンバータ、通電するブロックを切り替えるスイッチ回路等により構成される。電源制御部３２１は電池の装着の有無、電池の種類、電池残量の検出を行う。また、電源制御部３２１は検出結果及びシステム制御部３０８の指示に基づいてＤＣ−ＤＣコンバータを制御し、必要な電圧を必要な期間、記録媒体３２５を含む各構成部へ供給する。３２２は電源部であり、電源部３２２はアルカリ電池やリチウム電池等の一次電池やＮｉＣｄ電池やＮｉＭＨ電池、Ｌｉ電池等の二次電池、ＡＣアダプターなどからなる。３２３は通信部であり、通信部３２３は記録媒体３２５に記憶された画像を外部機器に送信する。３２４は記録媒体３２５とのインターフェイスであり、３２５は記録媒体であり、半導体メモリや磁気ディスクなどから構成される。３２６はネットワークＩ／Ｆであり、システム制御部３０８により制御されネットワーク１０４を介して外部の機器と通信を行う。
【００２４】
本実施形態における機器管理装置１０３では、ペアリング管理テーブルとユーザ管理テーブルを記憶する。これらの情報について、図４を用いて説明する。
【００２５】
図４（Ａ）はペアリング管理テーブルを示す。ペアリング管理テーブルは、機器ＩＤ４０１、機器固有情報４０２、登録状態４０３、確認コード４０４、所有者識別子４０５、仮登録情報４０６、仮登録有効期限４０７、及びサービス利用ＩＤ４０８を含む。
【００２６】
機器ＩＤ４０１は、本実施形態におけるネットワークサービスにおいて第１の通信機器１０１と所有者の組み合わせの識別をおこなうためのものである。所有者が第１の通信機器１０１を操作して、機器固有情報４０２を含む要求を機器管理装置１０３へ送信すると、機器管理装置１０３が機器ＩＤを発行する。機器ＩＤは一意であり、発行済みの他の機器ＩＤの値と重複することはない。
【００２７】
機器固有情報４０２は、第１の通信機器１０１を一意に識別可能な値である。登録状態４０３は機器ＩＤの登録状態を示し、ネットワークサービスでは登録状態に基づいて、機器ＩＤに紐付くサービスの提供可否を判定する。登録状態には、本登録、仮登録、未登録の３つの状態が存在し、登録状態が本登録の機器ＩＤに対してのみサービスが提供される。
【００２８】
確認コード４０４は、ユーザ登録する人物が第１の通信機器１０１の所有者であることを確認するための情報であり、数字やアルファベットで構成される短い文字列である。所有者識別子４０５は、第１の通信機器１０１の所有者を識別する情報であり、本実施形態では、所有者のメールアドレスである。
【００２９】
仮登録情報４０６は、ＷｅｂページのＵＲＬである。この仮登録情報も一意である。この仮登録情報は、不正アクセスの防止の観点で十分な長さを持つ。仮登録有効期限４０７は、仮登録がおこなわれた日時に基づいて設定される。サービス利用ＩＤ４０８については後述する。
【００３０】
図４（Ｂ）はユーザ管理テーブルを示す。ユーザ管理テーブルは、所有者識別子４０９及びパスワード４１０を含む。本実施形態における機器管理装置１０３はこのユーザ管理テーブルに基づいてユーザ認証をおこなう。
【００３１】
所有者識別子４０９には、ペアリング管理テーブルの登録状態４０３が本登録となった第１の通信機器１０１の所有者識別子が登録される。所有者識別子は一意性制約が設定されている。パスワード４１０は、ユーザ認証のための情報であり、所有者がユーザ登録時に指定した任意の文字列である。
【００３２】
図４〜図９を用いて第１の通信機器１０１とその所有者のペアリングを設定する処理の流れについて説明する。図５、図６、図７はそれぞれ、第１の通信機器１０１、機器管理装置１０３、第２の通信機器１０２におけるペアリング設定処理及びユーザ登録処理の流れを示すフローチャートである。
【００３３】
第１の通信機器１０１の表示部３１０に表示される画面について、図８を参照して説明する。なお、ユーザは第１の通信機器１０１に対して、操作部３１７を操作することで選択操作を行う。図８では操作部３１７がキーである例を示すが、表示部３１０上にタッチパネルを設け、それを操作するようにしてもよい。また、第２の通信機器１０２の表示装置２１１に表示される画面について図９を参照して説明する。なお、ユーザは第２の通信機器１０２に対して、入力Ｉ／Ｆ２０５に接続されたポインティングデバイスやキーボード、タッチパネルなどの入力装置を操作することで選択操作を行う。
【００３４】
以下、第１の通信機器１０１と第２の通信機器１０２の操作者は一般的に同一であるため、合わせて所有者と呼ぶ。
【００３５】
はじめに、第１の通信機器１０１のシステム制御部３０８は、ステップＳ５０１にて、所有者の操作によって所有者識別子の入力を受け記憶する。このときの第１の通信機器１０１の表示画面を図８（Ａ）に示す。８０１は操作部３１７に含まれるボタンである。また、第１の通信機器１０１の表示部２０６には、所有者が操作部３１７を介して入力した所有者識別子８０２、入力を取りやめるキャンセルボタン８０３、及び処理を進める指示を受けるボタン８０４が配置されている。
【００３６】
次に、所有者がボタン８０４を選択すると、第１の通信機器１０１のシステム制御部３０８は、ステップＳ５０２にて、機器管理装置１０３に対して機器ＩＤ発行要求を送信する。この機器ＩＤ発行要求には、第１の通信機器１０１の機器固有情報が含まれるが、所有者識別子は含まれる必要が無い。
【００３７】
図６に移り、機器管理装置１０３の制御部２３１は、ステップＳ６０１にて、第１の通信機器１０１から送信された機器ＩＤ発行要求を受信する。そして、制御部２３１は、ステップＳ６０２にて、機器ＩＤを発行する。このとき、制御部２３１は、機器ＩＤ発行要求に含まれていた機器固有情報と、発行した機器ＩＤとを関連付けて図４（Ａ）で示したペアリング管理テーブルに記憶する。図４（Ａ）において、機器ＩＤが0x000dのレコードはこの状態のものである。その後、制御部２３１は、ステップＳ６０３にて、第１の通信機器１０１に機器ＩＤを送信する。
【００３８】
図５に戻り、第１の通信機器１０１のシステム制御部３０８は、ステップＳ５０３にて、機器管理装置１０３から送信された機器ＩＤを受信し記憶する。次に、システム制御部３０８は、ステップＳ５０４にて、機器管理装置１０３に確認コード発行要求を送信する。この確認コード発行要求にはステップＳ５０３で記憶した機器ＩＤが含まれる。
【００３９】
再び図６に移り、機器管理装置１０３の制御部２３１は、ステップＳ６０４にて、第１の通信機器１０１から送信された確認コード発行要求を受信する。また、制御部２３１は、ステップＳ６０５にて、確認コードを発行する。このとき、制御部２３１は、確認コード発行要求に含まれる機器ＩＤに基づいて図４（Ａ）のペアリング管理テーブルから対応するレコードを検索し、発行した確認コードを、対応するレコードに記憶する。図４（Ａ）において、機器ＩＤが0x000cのレコードはこの状態のものである。また、この段階では、登録状態は「未登録」である。その後、制御部２３１は、Ｓ６０６にて、第１の通信機器１０１に確認コードを送信する。
【００４０】
図５に戻り、第１の通信機器１０１のシステム制御部３０８は、ステップＳ５０５にて、機器管理装置１０３から送信された確認コードを受信し記憶する。次に、システム制御部３０８は、ステップＳ５０６にて、機器管理装置１０３に仮登録要求を送信する。この仮登録要求には、ステップＳ５０１で記憶した所有者識別子と、ステップＳ５０３で記憶した機器ＩＤが含まれる。次に、システム制御部３０８は、ステップＳ５０７にて、ステップＳ５０５で記憶した確認コードを表示部２０６に表示する。このときの第１の通信機器１０１の表示画面を図８（Ｂ）に示す。表示部２０６には、確認コード８０５と、処理を進める指示を受けるボタン８０６が配置されている。
【００４１】
再び図６に移り、機器管理装置１０３の制御部２３１は、ステップＳ６０７にて、第１の通信機器１０１から送信された仮登録要求を受信する。また、制御部２３１は、ステップＳ６０８にて、第１の通信機器１０１を仮登録する。具体的には、制御部２３１は、仮登録要求に含まれる機器ＩＤに基づいて図４（Ａ）のペアリング管理テーブルから対応するレコードを検索し、仮登録要求に含まれる所有者識別子を、対応するレコードに記憶する。また、制御部２３１は、仮登録情報を発行し、対応するレコードに記憶する。また、制御部２３１は、仮登録情報の有効期限を発行し、対応するレコードに記憶する。この有効期限は仮登録の日時に基づいて設定される。更に、制御部２３１は、対応するレコードの登録状態を「未登録」から「仮登録」に変更する。図４（Ａ）において、機器ＩＤが0x000bのレコードは登録状態が「仮登録」のものである。その後、制御部２３１は、ステップＳ６０９にて、ステップＳ６０８で発行した仮登録情報を、所有者識別子に基づいて電子メールで送信する。
【００４２】
図７に移り、第２の通信機器１０２の制御部２０１は、ステップＳ７０１にて、機器管理装置１０３から送信された、仮登録情報を含む電子メールを受信する。次に、制御部２０１は、ステップＳ７０２にて、仮登録情報で指定されたＷｅｂページを取得するための情報取得要求を機器管理装置１０３に送信する。この処理は、第２の通信機器１０２の操作者の操作に基づいて行われる。ここで、仮登録情報は、確認コードを入力して機器管理装置１０３へ送信するためのＷｅｂページのＵＲＬであり、ＵＲＬは機器ＩＤ毎に異なる。
【００４３】
図６に戻り、機器管理装置１０３の制御部２３１は、ステップＳ６１０にて、第２の通信機器１０２から送信された情報取得要求を受信する。また、制御部２３１は、ステップＳ６１１にて、Ｗｅｂページを生成し、ステップＳ６１２にて、第２の通信機器１０２にＷｅｂページを送信する。ここで、制御部２３１は、仮登録情報に基づいて図４（Ａ）のペアリング管理テーブルから対応するレコードを検索し、当該レコードの機器ＩＤをＷｅｂページに付加して送信する。なお、機器ＩＤの代わりにレコードを一意に特定するためのＩＤを発行し、それを利用するようにしてもよい。このように仮登録情報毎に一意な情報を用いることで、同一人物が複数の機器について仮登録の処理を実行している場合であっても、機器毎に本登録の処理を実行することができる。
【００４４】
再び図７に移り、第２の通信機器１０２の制御部２０１は、ステップＳ７０３において、機器管理装置１０３から送信されたＷｅｂページを受信する。このＷｅｂページは、第２の通信機器１０２から機器管理装置１０３に対して確認コードを送信するための構成を含む。このＷｅｂページの表示内容を図９（Ａ）に示す。９０１は確認コードを入力するためのフィールドであり、９０２は処理を進める指示を受けるボタンである。
【００４５】
次に、制御部２０１は、ステップＳ７０４において、所有者の操作に基づいて、フィールド９０１に対する確認コードの入力とボタン９０２の選択とを受けつける。ここで所有者が入力する確認コードは、ステップＳ５０７にて第１の通信機器１０１の表示部２０６に提示されたものである。その後、制御部２０１は、ステップＳ７０５において、所有者によって入力された確認コードとＷｅｂページに付加された機器ＩＤを機器管理装置１０３に送信する。
【００４６】
図６に戻り、機器管理装置１０３の制御部２３１は、ステップＳ６１３において、確認コードと機器ＩＤを第２の通信機器１０２から受信する。そして、制御部２３１は、ステップＳ６１４において、仮登録情報（ステップＳ７０２において第２の通信機器１０２が使用した仮登録情報）であるＷｅｂページのＵＲＬに基づいてペアリング管理テーブルから対応するレコードを検索する。制御部２３１は、現在日時が、対応するレコードの仮登録有効期限を過ぎていないかを判定する。現在日時が仮登録有効期限を過ぎていなければ、制御部２３１は、第２の通信機器１０２から送信された確認コード（第２の確認コード）が対応するレコードの確認コード（第１の確認コード）と一致するかを判定する。この判定の結果、確認コードが一致していれば、制御部２３１は、ステップＳ６１５にて、第２の通信機器１０２に対して本登録のための情報（本登録情報）を送信する。ここで、制御部２３１は、本登録情報に機器ＩＤを付加して送信する。一方、ステップ６１４の判定の結果、現在日時が仮登録有効期限を過ぎていた場合と確認コードが一致しなかった場合には、制御部２３１は、第２の通信機器１０２にエラー情報を送信する。
【００４７】
再び図７に移り、第２の通信機器１０２の制御部２０１は、ステップＳ７０６において、機器管理装置１０３から送信された本登録情報を受信する。本登録情報はＷｅｂページなどの画面情報であり、所有者がパスワードを送信する構成と、所有者がステップＳ５０１にて第１の通信機器１０１に入力した所有者識別子とを含む。このＷｅｂページの表示内容を図９（Ｂ）に示す。９０３は所有者識別子であり、９０４はパスワードの入力を受け付けるフィールドであり、９０５は処理を進める指示を受けるボタンである。
【００４８】
次に、第２の通信機器１０２の制御部２０１は、ステップＳ７０７において、所有者の操作に基づいてフィールド９０４に対するパスワードの入力とボタン９０５の選択とを受け付ける。なお、制御部２０１は、パスワード以外にも、所有者の住所や電話番号などの情報も受け付けてもよい。換言すると、制御部２０１は、ステップＳ７０７において、ユーザ登録のための様々な追加情報を受け付けることができる。
【００４９】
次に、制御部２０１は、ステップＳ７０８において、本登録要求を機器管理装置１０３に送信する。この本登録要求には、所有者が入力したパスワード等の追加情報と本登録情報に付加されていた機器ＩＤが含まれる。
【００５０】
図６に戻り、機器管理装置１０３の制御部２３１は、ステップＳ６１６にて、第２の通信機器１０２からの本登録要求を受信する。そして、制御部２３１は、ステップＳ６１７において、ペアリング管理テーブルの中の、本登録要求に含まれる機器ＩＤに対応するレコードの登録状態を、「仮登録」から「本登録」（登録完了情報）に変更する。このように登録状態が「本登録」になることにより、所有者と第１の通信機器１０１との間のペアリング設定処理が完了する。図４（Ａ）において、機器ＩＤが0x000aのレコードは登録状態が「本登録」のものである。更に、制御部２３１は、図４（Ｂ）のユーザ管理テーブルに、機器ＩＤに関連付けられた所有者識別子と本登録要求に含まれる追加情報（図４（Ｂ）の例では、パスワード）とを含むレコードを登録する。これにより、ユーザ登録処理が完了する。
【００５１】
さらにこの後、所有者が第１の通信機器１０１のボタン８０６（図８（Ｂ））を選択すると、通信機器１０１のシステム制御部３０８は、機器管理装置１０３に対して登録状態確認要求を送信する。登録状態確認要求は機器ＩＤを含む。機器管理装置１０３の制御部２３１は、この登録状態確認要求を受信し、第１の通信機器１０１に対して登録状態を示す情報を送信する。システム制御部３０８はこの情報を受信し、登録状態が本登録であると判定すれば、所有者に紐付けられたサービス利用を開始することができる。
【００５２】
以上で説明した流れで、本実施形態では、第１の通信機器１０１とその所有者との間のペアリング設定を簡易な手順で行うことができる。また、本実施形態では、ペアリング設定と所有者のユーザ登録とを一連の流れで行うこともできる。
【００５３】
また、本実施形態では、仮登録情報と確認コードを介して、所有者が第１の通信機器１０１の所有者であるか否かの確認を行うようにしたので、第１の通信機器１０１が誤って他人とペアリング設定されることも防止できる。即ち、所有者が所有者識別子の入力を誤るなどして他人の宛先に仮登録情報が送信され、知られた場合であっても、他人は第１の通信機器１０１に表示される確認コードを知ることはできない。
【００５４】
更に、万が一、仮登録情報を他人に知られてしまい、かつ他人が偶然に正しい確認コードを入力してしまった場合でも、本実施形態では、所有者は、第１の通信機器１０１を操作して機器ＩＤの発行を再度受けることができる。これにより、他人によるサービスの不正利用を中断させることが可能である。
【００５５】
なお、本実施形態では、ペアリング管理テーブルとユーザ管理テーブルを分けて管理する構成としたが、管理される情報が同等であれば、構成が異なっていても構わない。また、本実施形態では、仮登録情報の有効期限を過ぎた第１の通信機器１０１についてはペアリング設定させない構成について述べた。これに加えて、機器管理装置１０３は、有効期限が切れた後の任意の時点で対応する第１の通信機器１０１に関するレコードをペアリング管理テーブルから削除してもよい。
【００５６】
また、本実施形態では、第１の通信機器１０１を撮像装置として説明したが、所有者識別子と確認コードを本実施形態と同様に扱える装置であれば、第１の通信機器１０１は他の種類の装置であっても構わない。例えば、第１の通信機器１０１は、テレビやビデオレコーダーであってもよいし、複数の装置を組み合わせて実現する装置であってもよい。
【００５７】
また、本実施形態では、第２の通信機器１０２をディスプレイやキーボードを内蔵しない構成として図示した。しかしながら、第２の通信機器１０２は、携帯電話やスマートフォン、タブレットデバイスなどであっても構わない。
【００５８】
また、本実施形態では、登録状態として本登録と仮登録と未登録という３つの状態が存在するものとしたが、ペアリング管理テーブルの登録状態４０３は、仮登録の状態を持たず、この段階では未登録のままであってもよい。
【００５９】
続いて、上述のようにして第１の通信機器１０１とサービスの利用者としての第２の通信機器１０２のユーザ（第１の通信機器１０１の所有者）とのペアリングが成立した後で利用されるサービスを設定する動作について説明する。
【００６０】
まず、第２の通信機器１０２及び機器管理装置１０３におけるサービス設定処理について図１０を参照して説明する。以下、第２の通信機器１０２の動作は制御部２０１が記憶装置２０４やＲＯＭ２０２等に記憶された制御プログラムを実行し、それに従って上述の各モジュールを制御することにより実現される。また、機器管理装置１０３の動作は制御部２３１が記憶装置２３４やＲＯＭ２３２等に記憶された制御プログラムを実行し、それに従って上述の各モジュールを制御することにより実現される。
【００６１】
ユーザの操作に応答して、第２の通信機器１０２の制御部２０１はＷｅｂブラウザを起動して機器管理装置１０３のサイトのＵＲＬに基づきネットワーク１０４を介して機器管理装置１０３にアクセスする（Ｓ１００１）。そして、ユーザの操作に応答して、制御部２０１は所有者識別子やパスワードを機器管理装置１０３へ送信する（Ｓ１００２）。
【００６２】
機器管理装置１０３の制御部２３１は、所有者識別子及びパスワードを第２の通信機器１０２から受信し（Ｓ１０３１）、予め記憶しているユーザ管理テーブルの情報（図４（Ｂ））と照合しログイン認証を行う。ログイン認証が成功すれば（Ｓ１０３２でＹｅｓ）、制御部２３１は、サービス設定画面を表示するための画面情報を第２の通信機器１０２へ送信する（Ｓ１０３３）。
【００６３】
第２の通信機器１０２の制御部２０１は、サービス設定画面の画面情報を機器管理装置１０３から受信し（Ｓ１００３）、サービス設定画面を表示装置２１１に表示する（Ｓ１００４）。そして、ユーザの操作に応答して、サービス設定に関連するサービス関連情報を入力し（Ｓ１００５）、機器管理装置１０３へ送信する（Ｓ１００６）。ここで、サービス関連情報は例えば、第１の通信機器１０１の画像の転送先となる他のサイトを固有に識別するための名称及び、そのサイトでのアカウント情報、又はメールアドレスなどである。
【００６４】
機器管理装置１０３の制御部２３１は、サービス関連情報を第２の通信機器１０２から受信し（Ｓ１０３４）、サービス利用ＩＤに関連付けて記憶装置２３４に記憶する（Ｓ１０３５）。なお、サービス利用ＩＤはユーザのサービス関連情報を固有に特定するための識別子であり、図４（Ａ）に示すようなペアリング管理テーブルの中に、所有者識別子及び機器ＩＤに関連づけて記憶される。
【００６５】
ここで、サービス関連情報の記憶後（Ｓ１０３５）、再び、ユーザの操作にしたがって第２の通信機器１０２が機器管理装置１０３にアクセスすると（Ｓ１００１）、機器管理装置１０３はサービス関連情報を含むサービス設定画面を送信する（Ｓ１０３３）。そして、第２の通信機器１０２は、サービス関連情報をサービス設定画面上に表示し（Ｓ１００４）、既存のサービス関連情報を更新するための情報や新規のサービス関連情報の入力を行う（Ｓ１００５）。
【００６６】
なお、機器管理装置１０３の制御部２３１はペアリング設定処理及びユーザ登録処理の完了後（図６のＳ６１７参照）、続けてサービス設定画面の画面情報の第２の通信機器１０２へ送信してもよい（Ｓ１０３３）。この場合、第２の通信機器１０２の制御部２０１は所有者識別子やパスワードの送信（Ｓ１００２）などの動作を省略することができる。
【００６７】
次に、第１の通信機器１０１及び機器管理装置１０３におけるサービス設定処理について図１１を参照して説明する。以下、第１の通信機器１０１の動作はシステム制御部３０８が不揮発性メモリ３１２等に記憶された制御プログラムを実行し、それに従って上述の各モジュールを制御することにより実現される。また、機器管理装置１０３の動作は制御部２３１が記憶装置２３４やＲＯＭ２３２等に記憶された制御プログラムを実行し、それに従って上述の各モジュールを制御することにより実現される。
【００６８】
まず、第１の通信機器１０１のシステム制御部３０８は、機器ＩＤを読み出し、機器管理装置１０３へ送信する（Ｓ１１０１）。
【００６９】
機器管理装置１０３の制御部２３１は、機器ＩＤを第１の通信機器１０１から受信すると（Ｓ１１３１）、機器ＩＤに連携設定された所有者識別子を記憶装置２３４のペアリング管理テーブルで検索する（Ｓ１１３２）。検索の結果、機器ＩＤにペアリング設定された所有者識別子があれば（Ｓ１１３３でＹｅｓ）、機器ＩＤと所有者識別子に関連付けて記憶されたサービス利用ＩＤを検索し、検索結果にしたがいサービス利用ＩＤのリストを生成する（Ｓ１１３４）。機器管理装置１０３はサービス利用ＩＤのリストを第１の通信機器１０１へ送信する（Ｓ１１３５）。検索の結果、機器ＩＤにペアリング設定された所有者識別子がなければ（Ｓ１１３３でＮｏ）、機器ペアリングができていないので、制御部２３１はエラーを第１の通信機器１０１へ通知する（Ｓ１１３６）。
【００７０】
第１の通信機器１０１の制御部２０１はサービス利用ＩＤのリストを機器管理装置１０３から受信すると（Ｓ１１０２でＹｅｓ）、サービス利用ＩＤに対応するアイコンを表示部３１０に一覧表示する（Ｓ１１０３）。リストを受信しなければ（Ｓ１１０２でＮｏ）、エラーを表示する（Ｓ１１０４）。
【００７１】
ユーザの操作に応答して、制御部２０１が更新要求を検知すれば（Ｓ１１０５でＹｅｓ）、ステップＳ１１０１に戻り、更新要求を検知しなければ（Ｓ１１０５でＮｏ）、本処理を終了する。
【００７２】
ここで、一覧表示されるアイコンはサービス利用ＩＤに対応するサービス設定の内容に応じたマークであり、例えば、第１の通信機器１０１が画像を機器管理装置１０３へアップロードする際、ユーザが選択したアイコンと対応するサービス利用ＩＤも送信する。これにより、機器管理装置１０３はサービス利用ＩＤと関連するサービス利用設定にしたがい、アップロードされた画像を他の装置へ転送したりする。
【００７３】
以上説明したように、本実施形態によれば、第１の通信機器１０１とその所有者との間のペアリング設定を簡易な手順で行うことができる。また、本実施形態では、ペアリング設定と所有者のユーザ登録とを一連の流れで行うこともできる。
【００７４】
［その他の実施形態］
また、本発明は、以下の処理を実行することによっても実現される。即ち、上述した実施形態の機能を実現するソフトウェア（プログラム）を、ネットワーク又は各種記憶媒体を介してシステム或いは装置に供給し、そのシステム或いは装置のコンピュータ（又はＣＰＵやＭＰＵ等）がプログラムを読み出して実行する処理である。
【図１】
2015114724.tif 000003
【図２】
2015114724.tif 000004
【図３】
2015114724.tif 000005
【図４】
2015114724.tif 000006
【図５】
2015114724.tif 000007
【図６】
2015114724.tif 000008
【図７】
2015114724.tif 000009
【図８】
2015114724.tif 000010
【図９】
2015114724.tif 000011
【図１０】
2015114724.tif 000012
【図１１】
2015114724.tif 000013